(57)【要約】  本発明は、隣設する複数の基地局と、上記基地局によりそれぞれ占められる複数のセルと、上記セル内において移動する移動加入者端末と、を備える通信システムにおける、上記基地局のそれぞれから上記移動加入者端末にパイロットシンボルを伝送する方法において、上記パイロットシンボルの周波数領域において、基地局の区分のためのシーケンスを示す基地局区分サブキャリアを伝送するステップと、上記周波数領域において、上記基地局区分サブキャリアの伝送と共に、上記パイロットシンボルのピーク電力対平均電力比（ＰＡＰＲ）を減少するためのシーケンスを示すＰＡＰＲサブキャリアを伝送するステップと、を含むことを特徴とする。
2007527181.tif 000002
【特許請求の範囲】
【請求項１】
隣設する複数の基地局と、前記基地局によりそれぞれ占められる複数のセルと、前記セル内において移動する移動加入者端末と、を備える通信システムにおける、前記基地局のそれぞれから前記移動加入者端末にパイロットシンボルを伝送する方法において、
前記パイロットシンボルの周波数領域において、基地局の区分のためのシーケンスを示す基地局区分サブキャリアを伝送するステップと、
前記周波数領域において、前記基地局区分サブキャリアの伝送と共に、前記パイロットシンボルのピーク電力対平均電力比（ＰＡＰＲ）を減少するためのシーケンスを示すＰＡＰＲサブキャリアを伝送するステップと、を含むことを特徴とする前記方法。
【請求項２】
前記基地局の区分のためのシーケンスは、各行がウォルシュコードであるウォルシュ・アダマール行列を用いて生成し、該ウォルシュ・アダマール行列のうち特定の基地局識別子に対応する行が所定のインタリーブ方式によりインタリーブされ、該インタリーブされた信号が所定のサブキャリアとマッピングされて前記基地局区分サブキャリアとして生成され伝送されることを特徴とする請求項１に記載の前記方法。
【請求項３】
前記基地局の識別のためのシーケンスは、下記式１のように定義されることを特徴とする請求項２に記載の前記方法。
【数１】
2007527181.tif 000073
前式中、
【数２】
2007527181.tif 000074
は１２８次のウォルシュ・アダマール行列を、
【数３】
2007527181.tif 000075
は１２８次のウォルシュ・アダマール行列
【数４】
2007527181.tif 000076
のインタリーブを意味する。
【請求項４】
インタリーブされた信号は、下記の値を有することを特徴とする請求項２に記載の前記方法。
【表１】
2007527181.tif 000077
前記表において、
は０から１２７の値を有する。
【請求項５】
前記セルを区分するセクターが１個である場合、前記ウォルシュコードは、ａｌｌ １ウォルシュコードであることを特徴とする請求項２に記載の前記方法。
【請求項６】
前記パイロットシンボルのＰＡＰＲを減少するためのシーケンスは、特定の基地局識別子に対応するように予め決められていることを特徴とする請求項１に記載の前記方法。
【請求項７】
前記基地局区分サブキャリアとＰＡＰＲサブキャリアを含む前記パイロットシンボルは、下記式２で表わされることを特徴とする請求項１に記載の前記方法。
【数５】
2007527181.tif 000078
但し、前式中、
【数６】
2007527181.tif 000079
は前記基準信号を示し、
【数７】
2007527181.tif 000080
は基地局識別子を示し、n は前記送信アンテナ識別子を示し、ｍはシーケンス
【数８】
2007527181.tif 000081
の実行インデックスを示し、ｋはサブキャリアのインデックスを示し、Nusedはヌルデータが挿入されていないサブキャリアの番号を示す。
【請求項８】
前記
【数９】
2007527181.tif 000082
は、下記式３で表わされることを特徴とする請求項１に記載の前記方法。
【数１０】
2007527181.tif 000083
【請求項９】
前記送信アンテナの数Ｎｔが２であり、前記通信システムにおいて用いられる逆高速フーリエ演算のポイント数ＮＦＦＴが２０４８である場合、前記
【数１１】
2007527181.tif 000084
は、下記式４で表わされ、
【数１２】
2007527181.tif 000085
及び
は下記表２及び表３ａないし表３ｅに示す１６進数で表わされることを特徴とする請求項８に記載の前記方法。
【数１３】
2007527181.tif 000086
【表２】
2007527181.tif 000087
【表３ａ】
2007527181.tif 000088
【表３ｂ】
2007527181.tif 000089
【表３ｃ】
2007527181.tif 000090
【表３ｄ】
2007527181.tif 000091
【表３ｅ】
2007527181.tif 000092
【表３ｆ】
2007527181.tif 000093
【請求項１０】
前記送信アンテナの数Ｎｔが２であり、前記通信システムにおいて用いられる逆高速フーリエ演算のポイント数ＮＦＦＴが１０２４である場合、前記
【数１４】
2007527181.tif 000094
は下記式５で表わされ、
【数１５】
2007527181.tif 000095
及び
は下記表４及び表５ａないし表５ｄに示す１６進数で表わされることを特徴とする請求項８に記載の前記方法。
【数１６】
2007527181.tif 000096
【表４】
2007527181.tif 000097
【表５ａ】
2007527181.tif 000098
【表５ｂ】
2007527181.tif 000099
【表５ｃ】
2007527181.tif 000100
【表５ｄ】
2007527181.tif 000101
【請求項１１】
前記送信アンテナの数Ｎｔが２であり、前記通信システムにおいて用いられる逆高速フーリエ演算のポイント数ＮＦＦＴが５１２である場合、前記
【数１７】
2007527181.tif 000102
は下記式６で表わされ、
【数１８】
2007527181.tif 000103
及び
は下記表６及び表７ａから表７ｂに示す１６進数で表わされることを特徴とする請求項８に記載の前記方法。
【数１９】
2007527181.tif 000104
【表６】
2007527181.tif 000105
【表７ａ】
2007527181.tif 000106
【表７ｂ】
2007527181.tif 000107
【請求項１２】
前記送信アンテナの数Ｎｔが３であり、前記通信システムにおいて用いられる逆高速フーリエ演算のポイント数ＮＦＦＴが２０４８である場合、前記
【数２０】
2007527181.tif 000108
は下記式７で表わされ、
【数２１】
2007527181.tif 000109
及び
は下記表８及び表９ａから表９ｄに示す１６進数で表わされることを特徴とする請求項８に記載の前記方法。
【数２２】
2007527181.tif 000110
【表８】
2007527181.tif 000111
【表９ａ】
2007527181.tif 000112
【表９ｂ】
2007527181.tif 000113
【表９ｃ】
2007527181.tif 000114
【表９ｄ】
2007527181.tif 000115
【請求項１３】
前記送信アンテナの数Ｎｔが３であり、前記通信システムにおいて用いられる逆高速フーリエ演算のポイント数ＮＦＦＴが１０２４である場合、前記
【数２３】
2007527181.tif 000116
は下記式８で表わされ、
【数２４】
2007527181.tif 000117
及び
は下記表１０及び表１１ａから表１１ｂに示す１６進数で表わされることを特徴とする請求項８に記載の前記方法。
【数２５】
2007527181.tif 000118
【表１０】
2007527181.tif 000119
【表１１ａ】
2007527181.tif 000120
【表１１ｂ】
2007527181.tif 000121
【請求項１４】
前記送信アンテナの数Ｎｔが３であり、前記通信システムにおいて用いられる逆高速フーリエ演算のポイント数ＮＦＦＴが５１２である場合、前記
【数２６】
2007527181.tif 000122
は下記式９で表わされ、
【数２７】
2007527181.tif 000123
及び
は下記表１２及び表１３ａから表１３ｂに示す１６進数で表わされることを特徴とする請求項８に記載の前記方法。
【数２８】
2007527181.tif 000124
【表１２】
2007527181.tif 000125
【表１３ａ】
2007527181.tif 000126
【表１３ｂ】
2007527181.tif 000127
【請求項１５】
隣設する複数の基地局と、前記基地局によりそれぞれ占められる複数のセルと、前記セル内において移動する移動加入者端末を備える通信システムにおける、前記基地局のそれぞれから前記移動加入者端末へとパイロットシンボルを伝送する装置において、
前記パイロットシンボルの周波数領域において、基地局の区分のためのシーケンスを示す基地局区分サブキャリアを伝送し、前記周波数領域において、前記基地局区分サブキャリアの伝送と共に、前記パイロットシンボルのピーク電力対平均電力比（ＰＡＰＲ）を減少するためのシーケンスを示すＰＡＰＲサブキャリアを伝送する送信機を備えることを特徴とする前記装置。
【請求項１６】
前記基地局の区分のためのシーケンスは、各行がウォルシュコードである所定のウォルシュ・アダマール行列を用いて生成し、該ウォルシュ・アダマール行列のうち特定の基地局識別子に対応する行を選択し、該選択した行を所定の設定回数だけ繰り返す選択器と、
所定のウォルシュコードのうち、セクター識別子に相当するウォルシュコードを所定の設定回数だけ繰り返すリピーターと、
前記繰り返されたウォルシュ・アダマール行列の各行を所定のインタリーブ方式によりインタリーブする多数のインタリーバと、
前記インタリーブされたウォルシュ・アダマール行列の各行と前記繰り返されたウォルシュコードを排他的論理和する多数の加算器と、をさらに備えることを特徴とする請求項１５に記載の前記装置。
【請求項１７】
前記送信機は、
前記Ｎ本のサブキャリアのうち、ＤＣ成分と前記サブキャリア間の干渉除去成分に対応するサブキャリアにヌルデータを挿入し、前記Ｎ本のサブキャリアのうち前記ヌルデータが挿入されたサブキャリア以外のＭ本のサブキャリアそれぞれに前記パイロットシンボルを構成するエレメントそれぞれを挿入した後、逆高速フーリエ変換する逆高速フーリエ変換器と、
前記逆高速フーリエ変換された信号を無線周波数処理して送信する無線周波数処理器と、を備えることを特徴とする請求項１５に記載の前記装置。
【請求項１８】
前記パイロットシンボルのＰＡＰＲを減少するためのシーケンスは、特定の基地局識別子に対応するように予め決められていることを特徴とする請求項１５に記載の前記装置。
【請求項１９】
前記セルを区分するセクターが１個である場合、前記ウォルシュコードは、ａｌｌ １ウォルシュコードであることを特徴とする請求項１５に記載の前記方法。
【請求項２０】
前記基地局区分サブキャリアとＰＡＰＲサブキャリアを含む前記パイロットシンボルは、周波数領域において下記式１０で表わされることを特徴とする請求項１６に記載の前記装置。
【数２９】
2007527181.tif 000128
但し、前式中、
【数３０】
2007527181.tif 000129
は前記パイロットシンボルを示し、
【数３１】
2007527181.tif 000130
は基地局識別子を示し、n は前記送信アンテナ識別子を示し、ｍはシーケンス
【数３２】
2007527181.tif 000131
の実行インデックスを示し、ｋはサブキャリアのインデックスを示し、Nusedはヌルデータが挿入されていないサブキャリアの番号を示し、
【数３３】
2007527181.tif 000132
は前記シーケンスを示す。
【請求項２１】
前記シーケンスは、下記式１１で表わされることを特徴とする請求項１９に記載の前記装置。
【数３４】
2007527181.tif 000133
【請求項２２】
前記送信アンテナの数Ｎｔが２であり、前記通信システムにおいて用いられる逆高速フーリエ演算のポイント数ＮＦＦＴが２０４８である場合、前記
【数３５】
2007527181.tif 000134
は下記式１２で表わされ、
【数３６】
2007527181.tif 000135
及び
は下記表１４及び表１５ａから表１５ｆに示す１６進数で表わされることを特徴とする請求項２１に記載の前記装置。
【数３７】
2007527181.tif 000136
【表１４】
2007527181.tif 000137
【表１５ａ】
2007527181.tif 000138
【表１５ｂ】
2007527181.tif 000139
【表１５ｃ】
2007527181.tif 000140
【表１５ｄ】
2007527181.tif 000141
【表１５ｅ】
2007527181.tif 000142
【表１５ｆ】
2007527181.tif 000143
【請求項２３】
前記送信アンテナの数Ｎｔが２であり、前記通信システムにおいて用いられる逆高速フーリエ演算のポイント数ＮＦＦＴが１０２４である場合、前記
【数３８】
2007527181.tif 000144
は下記式１３で表わされ、
【数３９】
2007527181.tif 000145
及び
は下記表１６及び表１７ａから表１７ｄに示す１６進数で表わされることを特徴とする請求項２１に記載の前記装置。
【数４０】
2007527181.tif 000146
【表１６】
2007527181.tif 000147
【表１７ａ】
2007527181.tif 000148
【表１７ｂ】
2007527181.tif 000149
【表１７ｃ】
2007527181.tif 000150
【表１７ｄ】
2007527181.tif 000151
【請求項２４】
前記送信アンテナの数Ｎｔが２であり、前記通信システムにおいて用いられる逆高速フーリエ演算のポイント数ＮＦＦＴが５１２である場合、前記
【数４１】
2007527181.tif 000152
は下記式１４で表わされ、
【数４２】
2007527181.tif 000153
及び
は下記表１８及び表１９ａから表１９ｂに示す１６進数で表わされることを特徴とする請求項２１に記載の前記装置。
【数４３】
2007527181.tif 000154
【表１８】
2007527181.tif 000155
【表１９ａ】
2007527181.tif 000156
【表１９ｂ】
2007527181.tif 000157
【請求項２５】
前記送信アンテナの数Ｎｔが３であり、前記通信システムにおいて用いられる逆高速フーリエ演算のポイント数ＮＦＦＴが２０４８である場合、前記
【数４４】
2007527181.tif 000158
は下記式１５で表わされ、
【数４５】
2007527181.tif 000159
及び
は下記表２０及び表２１ａから表２１ｄに示す１６進数で表わされることを特徴とする請求項２１に記載の前記装置。
【数４６】
2007527181.tif 000160
【表２０】
2007527181.tif 000161
【表２１ａ】
2007527181.tif 000162
【表２１ｂ】
2007527181.tif 000163
【表２１ｃ】
2007527181.tif 000164
【表２１ｄ】
2007527181.tif 000165
【請求項２６】
前記送信アンテナの数Ｎｔが３であり、前記通信システムにおいて用いられる逆高速フーリエ演算のポイント数ＮＦＦＴが１０２４である場合、前記
【数４７】
2007527181.tif 000166
は下記式１６で表わされ、
【数４８】
2007527181.tif 000167
及び
は下記表２２及び表２３ａから表２３ｂに示す１６進数で表わされることを特徴とする請求項２１に記載の前記装置。
【数４９】
2007527181.tif 000168
【表２２】
2007527181.tif 000169
【表２３ａ】
2007527181.tif 000170
【表２３ｂ】
2007527181.tif 000171
【請求項２７】
前記送信アンテナの数Ｎｔが３であり、前記通信システムにおいて用いられる逆高速フーリエ演算のポイント数ＮＦＦＴが５１２である場合、前記
【数５０】
2007527181.tif 000172
は下記式１７で表わされ、
【数５１】
2007527181.tif 000173
及び
は下記表２４及び表２５ａから表２５ｂに示す１６進数で表わされることを特徴とする請求項２１に記載の前記装置。
【数５２】
2007527181.tif 000174
【表２４】
2007527181.tif 000175
【表２５ａ】
2007527181.tif 000176
【表２５ｂ】
2007527181.tif 000177
【請求項２８】
それぞれが１以上のセクターと１以上の送信アンテナを有する多数のセルを備え、周波数帯域全体がＮ本のサブキャリア帯域に分割される通信システムにおける、前記セルと、セクターを区分するための基準信号を１以上の送信アンテナを介して送信する方法において、
所定のウォルシュ・アダマール行列からセル識別子に相当する行を選択し、該選択した行を所定の設定回数だけ繰り返すステップと、
所定のウォルシュコードのうちセクター識別子に相当するウォルシュコードを所定の設定回数だけ繰り返すステップと、
所定のシーケンスのうち、前記セル識別子及びセクター識別子に対応するシーケンスを選択するステップと、
前記繰り返されたウォルシュ・アダマール行列の各行を所定のインタリーブ方式によりインタリーブするステップと、
前記インタリーブされたウォルシュ・アダマール行列の各行と前記繰り返されたウォルシュコードを排他的論理和して得た信号と前記シーケンスとを連接して前記基準信号を生成するステップと、
所定の基準信号送信区間において前記基準信号を送信するステップと、を含むことを特徴とする前記方法。
【請求項２９】
前記基準信号を送信するステップは、
前記Ｎ本のサブキャリアのうちＤＣ成分と前記サブキャリア間の干渉除去成分に対応するサブキャリアにヌルデータを挿入し、前記Ｎ本のサブキャリアのうち前記ヌルデータが挿入されたサブキャリア以外のＭ本のサブキャリアのそれぞれに前記基準信号を構成するエレメントのそれぞれを挿入した後、逆高速フーリエ変換して送信することを特徴とする請求項２８に記載の前記方法。
【請求項３０】
隣設する基地局を含む通信システムにおける、基地局またはセクターを識別するための信号受信方法において、
基地局の識別のための基地局識別用のサブキャリア及びパイロットシンボルのピーク電力対平均電力比（ＰＡＰＲ）を減少するためのＰＡＰＲサブキャリアを含むパイロット信号を前記基地局から受信するステップと、
所定の変調方式によって前記パイロット信号を変換するステップと、
前記変換されたパイロット信号を復調するステップと、
前記復調されたパイロット信号からＰＡＰＲサブキャリアに対応するＰＡＰＲ低減シーケンスを除去するステップと、
所定の枝信号数に前記パイロット信号を分割し、該分割された枝信号に対してデインタリーブを行うステップと、
前記デインタリーブされた枝信号に対して逆高速アダマール変換（ＩＦＨＴ）を行うステップと、
前記ＩＦＨＴ処理された枝信号のうち、所定のウォルシュ・アダマール行列の行が最大の相関値を有する信号を基地局識別子として出力するステップと、を含む前記方法。
【請求項３１】
セクター識別のための信号は、
所定のウォルシュコードのうち、セクター識別子に相当するウォルシュコードを所定の回数だけ繰り返すステップと、
前記繰り返されたウォルシュコードと、前記所定数の枝信号を排他的論理和するステップと、
前記加算され、ＩＦＨＴされた信号のうち、前記所定のウォルシュコードと最大の相関値を有する信号をセクター区分識別子として出力するステップと、を含むことを特徴とする請求項３０に記載の前記方法。
【請求項３２】
前記所定の信号変換を行うステップは、
前記受信したパイロット信号を無線周波数処理するステップと、
アナログ信号をデジタル信号に変換するステップと、
前記デジタル信号から保護区間を除去するステップと、
前記保護区間の除去された信号をシリアル／パラレル変換するステップと、
前記パラレル変換された信号を高速フーリエ変換するステップと、
前記高速フーリエ変換された信号をパラレル／シリアル変換するステップと、
パイロット信号受信区間においてパイロット信号を選択して出力するステップと、を含むことを特徴とする請求項３０に記載の前記方法。
【請求項３３】
隣設する複数の基地局が存在する通信システムにおける、前記基地局またはセクターの区分のための信号受信装置において、
前記所定数の前記枝信号のそれぞれをデインタリーブするデインタリーバと、
前記デインタリーブされた信号を逆高速アダマール変換（ＩＦＨＴ）する逆高速アダマール変換器と、
前記ＩＦＨＴされた信号のうち、所定のウォルシュ・アダマール行列の行と最大の相関値を有する信号を基地局区分識別子として出力する比較選択器と、を備えることを特徴とする前記装置。
【請求項３４】
所定のウォルシュコードのうち、セクター識別子に相当するウォルシュコードを所定の設定回数だけ繰り返すウォルシュコードリピーターと、
前記繰り返されたウォルシュコードと、前記所定数の枝信号を排他的論理和する加算器と、をさらに備えることを特徴とする請求項３３に記載の前記装置。
【請求項３５】
前記比較選択器は、前記加算され、ＩＦＨＴされた信号のうち、前記所定のウォルシュコードと最大の相関値を有する信号をセクター区分識別子として出力することを特徴とする請求項３４に記載の前記装置。
【請求項３６】
隣設する複数の基地局と、前記基地局によりそれぞれ占められる複数のセルと、前記セル内において移動する端末とを備え、同期獲得とチャンネルの推定のためのパイロットシンボルを用い、前記パイロットシンボルが多数のサブキャリアよりなる通信システムにおける、前記パイロットシンボルを生成する方法において、
前記パイロットシンボルをなすサブキャリアのうち、基地局の区分のためのサブキャリアにマッピングされる基地局区分シーケンスを生成するステップと、
前記パイロットシンボルをなすサブキャリアのうち、前記パイロットシンボルのＰＡＰＲを減少するためのサブキャリアにマッピングされるＰＡＰＲ減少シーケンスを生成するステップと、を含むことを特徴とする前記方法。
【請求項３７】
前記基地局区分シーケンスと前記ＰＡＰＲ減少シーケンスを当該サブキャリアとマッピングするステップと、
前記マッピングされたサブキャリアを逆高速フーリエ変換して伝送するステップと、をさらに含むことを特徴とする請求項３６に記載の前記方法。
【請求項３８】
前記基地局の区分のためのシーケンスは、下記式１８により定義されることを特徴とする請求項３６に記載の前記方法。
【数５３】
2007527181.tif 000178
前式中、
【数５４】
2007527181.tif 000179
は１２８次のウォルシュ・アダマール行列を意味し、
【数５５】
2007527181.tif 000180
は前記１２８次のウォルシュ・アダマール行列
【数５６】
2007527181.tif 000181
の列をインタリーブすることを意味する。
【請求項３９】
前記インタリーブされた信号は下記表のように表わされ、
は０から１２７の値を有することを特徴とする請求項３６に記載の前記方法。
【表２６】
2007527181.tif 000182
【請求項４０】
前記基地局の区分のためのシーケンスは、各行がウォルシュコードであるウォルシュ・アダマール行列を用いて生成し、該ウォルシュ・アダマール行列のうち特定の基地局識別子に対応する行が所定のインタリーブ方式によりインタリーブされ、該インタリーブされた信号が所定のサブキャリアとマッピングされて前記基地局区分サブキャリアとして生成され伝送されることを特徴とする請求項３６に記載の前記方法。
【請求項４１】
セクターの区分を不要とする通信システムである場合、前記ウォルシュコードは、ａｌｌ １ウォルシュコードであることを特徴とする請求項４０に記載の前記方法。
【請求項４２】
前記基地局区分サブキャリアとＰＡＰＲサブキャリアを含む前記パイロットシンボルは、下記式１９で表わされることを特徴とする請求項３６に記載の前記方法。
【数５７】
2007527181.tif 000183
但し、前式中、
【数５８】
2007527181.tif 000184
は前記パイロットシンボルを示し、
【数５９】
2007527181.tif 000185
は基地局識別子を示し、n は前記送信アンテナ識別子を示し、ｍはシーケンス
【数６０】
2007527181.tif 000186
の実行インデックスを示し、ｋはサブキャリアのインデックスを示し、Nusedはヌルデータが挿入されていないサブキャリアの番号を示す。
【請求項４３】
前記
【数６１】
2007527181.tif 000187
は下記式２０で表わされることを特徴とする請求項４２に記載の前記方法。
【数６２】
2007527181.tif 000188
【請求項４４】
前記送信アンテナの数Ｎｔが２であり、前記通信システムにおいて用いられる逆高速フーリエ演算のポイント数ＮＦＦＴが２０４８である場合、前記
【数６３】
2007527181.tif 000189
は下記式２１で表わされ、
【数６４】
2007527181.tif 000190
及び
は下記表２７及び表２８ａから表２８ｆに示す１６進数で表わされることを特徴とする請求項４３に記載の前記方法。
【数６５】
2007527181.tif 000191
【表２７】
2007527181.tif 000192
【表２８ａ】
2007527181.tif 000193
【表２８ｂ】
2007527181.tif 000194
【表２８ｃ】
2007527181.tif 000195
【表２８ｄ】
2007527181.tif 000196
【表２８ｅ】
2007527181.tif 000197
【表２８ｆ】
2007527181.tif 000198
【請求項４５】
前記送信アンテナの数Ｎｔが２であり、前記通信システムにおいて用いられる逆高速フーリエ演算のポイント数ＮＦＦＴが１０２４である場合、前記
【数６６】
2007527181.tif 000199
は下記式２２で表わされ、
【数６７】
2007527181.tif 000200
及び
は下記表２９及び表３０ａから表３０ｄに示す１６進数で表わされることを特徴とする請求項４４に記載の前記方法。
【数６８】
2007527181.tif 000201
【表２９】
2007527181.tif 000202
【表３０ａ】
2007527181.tif 000203
【表３０ｂ】
2007527181.tif 000204
【表３０ｃ】
2007527181.tif 000205
【表３０ｄ】
2007527181.tif 000206
【請求項４６】
前記送信アンテナの数Ｎｔが２であり、前記通信システムにおいて用いられる逆高速フーリエ演算のポイント数ＮＦＦＴが５１２である場合、前記
【数６９】
2007527181.tif 000207
は下記式２３で表わされ、
【数７０】
2007527181.tif 000208
及び
は下記表３１及び表３２ａから表３２ｂに示す１６進数で表わされることを特徴とする請求項４３に記載の前記方法。
【数７１】
2007527181.tif 000209
【表３１】
2007527181.tif 000210
【表３２ａ】
2007527181.tif 000211
【表３２ｂ】
2007527181.tif 000212
【請求項４７】
前記送信アンテナの数Ｎｔが３であり、前記通信システムにおいて用いられる逆高速フーリエ演算のポイント数ＮＦＦＴが２０４８である場合、前記
【数７２】
2007527181.tif 000213
は下記式２４で表わされ、
【数７３】
2007527181.tif 000214
及び
は下記表３３及び表３４ａから表３４ｄに示す１６進数で表わされることを特徴とする請求項４３に記載の前記方法。
【数７４】
2007527181.tif 000215
【表３３】
2007527181.tif 000216
【表３４ａ】
2007527181.tif 000217
【表３４ｂ】
2007527181.tif 000218
【表３４ｃ】
2007527181.tif 000219
【表３４ｄ】
2007527181.tif 000220
【請求項４８】
前記送信アンテナの数Ｎｔが３であり、前記通信システムにおいて用いられる逆高速フーリエ演算のポイント数ＮＦＦＴが１０２４である場合、前記
【数７５】
2007527181.tif 000221
は下記式２５で表わされ、
【数７６】
2007527181.tif 000222
及び
は下記表３５及び表３６ａから表３６ｂに示す１６進数で表わされることを特徴とする請求項４３に記載の前記方法。
【数７７】
2007527181.tif 000223
【表３５】
2007527181.tif 000224
【表３６ａ】
2007527181.tif 000225
【表３６ｂ】
2007527181.tif 000226
【請求項４９】
前記送信アンテナの数Ｎｔが３であり、前記通信システムにおいて用いられる逆高速フーリエ演算のポイント数ＮＦＦＴが５１２である場合、前記
【数７８】
2007527181.tif 000227
は下記式２６で表わされ、
【数７９】
2007527181.tif 000228
及び
は下記表３７及び表３８ａから表３８ｂに示す１６進数で表わされることを特徴とする請求項４３に記載の前記方法。
【数８０】
2007527181.tif 000229
【表３７】
2007527181.tif 000230
【表３８ａ】
2007527181.tif 000231
【表３８ｂ】
2007527181.tif 000232
【発明の詳細な説明】
【技術分野】
【０００１】
本発明は、直交周波数分割多重方式を用いる通信システムに係り、さらに詳しくは、基地局及びセクターを区分するためのパイロット信号の送受信装置及び方法に関する。
【背景技術】
【０００２】
次世代の通信システムである第４世代（４th Generation；以下、「４Ｇ」と称する。）通信システムにおいては、高速な伝送速度を支援し、且つ様々なサービス品質（Quality of Service；以下、「ＱｏＳ」と称する。）を有するサービスをユーザーに提供するための研究が盛んに行われてきている。特に、現在、４Ｇ通信システムにおいては、無線近距離通信ネットワーク（Local Area Network；以下、「ＬＡＮ」と称する。）システム及び無線都市地域ネットワーク（Metropolitan Area Network；以下、「ＭＡＮ」と称する。）システムなどの広帯域無線接続（ＢＷＡ：Broadband Wireless Access）通信システムに移動性とＱｏＳを保証し、且つ高速サービスを支援するための研究が盛んに行われてきている。
【０００３】
有無線チャンネルにおいて、データの高速伝送に有用な方式としての直交周波数分割多重（ＯＦＤＭ：Orthogonal Frequency Division Multiplexing、以下、「ＯＦＤＭ」と称する。）方式が盛んに研究されてきており、上記ＯＦＤＭ方式は、マルチキャリアを用いてデータを伝送する方式として、シリアルにて入力されるシンボル列をパラレル変換し、それらを相互直交性を有する多数のサブキャリアに変調して伝送する多重搬送波変調（ＭＣＭ：Multi Carrier Modulation）方式の一種である。
【０００４】
上記４Ｇ通信システムが高速、高品質の無線マルチメディアサービスを提供するためには、広帯域のスペクトル資源が必要となる。しかしながら、広帯域のスペクトル資源を用いる場合には、多経路伝播による無線伝送路上におけるフェージングの影響が深刻化し、伝送帯域内においても周波数選択的なフェージングによる影響が発生する。このため、高速な無線マルチメディアサービスのためには、符号分割多重接続（ＣＤＭＡ：Code Division Multiple Access、以下、「ＣＤＭＡ」と称する。）方式に比べて周波数選択的なフェージングに強いＯＦＤＭ方式の方が一層大きなゲインを有するため、上記４Ｇ通信システムに積極的に活用されているのが現状である。
【０００５】
以下、上記ＯＦＤＭ方式を用いる通信システム（以下、「ＯＦＤＭ通信システム」と称する。）の送信機と受信機の動作を簡略に述べる。ここで、上記送信機は基地局であってもよく、上記受信機は加入者端末であってもよい。
【０００６】
上記ＯＦＤＭ通信システムの送信機において、入力データは、スクランブラー、エンコーダー、インタリーバを介してサブキャリア信号に変調される。このとき、上記送信機は、種々の可変データレートを提供するが、上記データレートによって異なるコーディングレートと、インタリーブサイズ及び変調方式を有する。通常、上記エンコーダーは、１／２、３／４などのコーディングレートを用い、バーストエラーを防ぐためのインタリーバのサイズは、ＯＦＤＭシンボル当たりのコーディングされたビット数（ＮＣＢＰＳ：Number of Coded Bits per Symbol）によって決められる。上記変調方式としては、データレートに応じてＱＰＳＫ（Quadrature Phase Shift Keying）方式と、８ＰＳＫ（Phase Shift Keying）方式と、１６ＱＡＭ（Quadrature Amplitude Modulation）方式と、６４ＱＡＭ方式などを用いる。
【０００７】
一方、上記した構成により所定数のサブキャリア信号に変調された信号は、所定数のパイロットサブキャリア信号と加算され、また逆高速フーリエ変換（ＩＦＦＴ：Inverse Fast Fourier Transform、以下、「ＩＦＦＴ」と称する。）器においてＩＦＦＴが施されて、１個のＯＦＤＭシンボルとして生成される。上記ＯＦＤＭシンボルに多経路チャンネル環境におけるシンボル間干渉（ＩＳＩ：Inter Symbol Interference）を除去するための保護区間信号が挿入され、上記保護区間信号の挿入されたＯＦＤＭシンボルは、シンボル波形生成器を介して最終的に無線周波数（ＲＦ：Radio Frequency）処理器に入力され、上記無線周波数処理器では、入力された信号を無線周波数処理して空中に送り出す。
【０００８】
上述の如き送信機に対応するＯＦＤＭ通信システムの受信機においては、上記送信機において行われたものとは逆の過程が行われ、同期化過程が加えられる。初めに、受信されたＯＦＤＭシンボルに対して、所定のトレーニングシンボルを用いて周波数オフセット及びシンボルオフセットを推定する過程を行う必要がある。その後、保護区間を除去したデータシンボルが高速フーリエ変換（ＦＦＴ：Fast Fourier Transform、以下、「ＦＦＴ」と称する。）器を介して所定数のパイロットサブキャリア信号が加算された所定数のサブキャリア信号に復元される。また、実際の無線チャンネル上における経路遅延の現象を克服するために、等化器は、受信されたチャンネル信号に対するチャンネル状態を推定して、受信されたチャンネル信号から実際の無線チャンネル上における信号歪みを除去する。上記等化器を通ることでチャンネル推定されたデータは、ビット列に変換されてデインタリーバを経た後、エラー訂正のためのデコーダとディスクランブラーを通って最終データとして出力される。
【０００９】
一方、上述のように、ＯＦＤＭ通信システムにおける送信機、例えば基地局（ＢＳ：Base Station）は、受信機、例えば端末にパイロットサブキャリア信号を送信する。上記基地局は、データサブキャリア信号を送信すると同時に、上記パイロットサブキャリア信号を送信する。上記端末は、上記パイロットサブキャリア信号を受信することにより、同期獲得、チャンネル推定及び基地局の区分を行うことができる。すなわち、上記パイロットサブキャリア信号は、一種の基準サブキャリア信号で、一種のトレーニングシーケンスとして働いて送信機と受信機間のチャンネル推定を行うことができるようにし、また、上記パイロットサブキャリア信号を用いて端末が、端末自分の属する基地局を区分できるようにする。上記パイロットサブキャリア信号が送信される位置は、送信機と受信機との間に予め規約されている。結果的に、上記パイロットサブキャリア信号は、一種の基準信号として働く。
【００１０】
以下、上記パイロットサブキャリア信号を用いて端末が、端末自分の属する基地局を区分する過程を説明する。
先ず、基地局は、上記パイロットサブキャリア信号が特定のパターン、すなわち、パイロットパターンを有しつつも、上記データサブキャリア信号に比べて比較的に高い送信電力にてセル半径まで到達できるように送信する。ここで、上記基地局が上記パイロットサブキャリア信号を特定の１パイロットパターンを有しつつも、比較的に高い送信電力にてセル半径まで到達できるように送信する理由は、下記の通りである。
【００１１】
先ず、上記端末は、セルに入ったときに、当該端末が現在属している基地局に関するいかなる情報ももっていない。上記端末が、端末自分の属している基地局を検出するためには、上記パイロットサブキャリア信号を受信しなければならない。そのため、上記基地局は、上記パイロットサブキャリア信号を比較的に高い送信電力にて特定の１パイロットパターンを有するように送信し、その結果、上記端末が、端末自分の属している基地局を検出可能にする。
【００１２】
なお、上記パイロットパターンとは、基地局から送信するパイロットサブキャリア信号が生成するパターンのことである。すなわち、上記パイロットパターンは、上記パイロットサブキャリア信号の勾配と、上記パイロットサブキャリア信号が送信され始める開始点により生成される。このため、上記ＯＦＤＭ通信システムは、該ＯＦＤＭ通信システムを構成する基地局のそれぞれを区分するために、上記基地局のそれぞれが相異なるパイロットパターンを有するように設計しなければならない。また、上記パイロットパターンは、コヒーレンス帯域幅とコヒーレンス時間を考慮して生成しなければならない。以下、上記コヒーレンス帯域幅とコヒーレンス時間について説明する。
【００１３】
上記コヒーレンス帯域幅は、周波数領域においてチャンネルが不変であると仮定可能な最大帯域幅を示す。上記コヒーレンス時間は、時間領域においてチャンネルが不変であると仮定可能な最大時間を示す。このように、上記コヒーレンス帯域幅とコヒーレンス時間内においては、チャンネルが不変であると仮定可能であるため、上記コヒーレンス帯域幅とコヒーレンス時間の間単一のパイロットサブキャリア信号のみを送信しても同期獲得とチャンネル推定及び基地局の区分などを行うのに十分であり、しかも、データサブキャリア信号の送信を最大化させることができ、システム全体の性能が高められるようになる。結果的に、パイロットサブキャリア信号を送信する最大周波数間隔は、コヒーレンス帯域幅であり、上記パイロットチャンネル信号を送信する最大時間間隔、すなわち、最大ＯＦＤＭシンボル時間間隔は、コヒーレンス時間である。
【００１４】
一方、相異なる勾配と開始点を有するパイロットパターンの数は、上記ＯＦＤＭ通信システムを構成する基地局の数と同数、あるいは、それ以上である必要がある。しかしながら、上記ＯＦＤＭ通信システムの時間−周波数領域において、パイロットサブキャリア信号を送信するためには、上述のように、コヒーレンス帯域幅とコヒーレンス時間を考慮する必要があり、該コヒーレンス帯域幅とコヒーレンス時間を考慮する場合、上記相異なる勾配と開始点を有するパイロットパターンの数には限界がある。上記コヒーレンス帯域幅とコヒーレンス時間を考慮することなく、パイロットパターンを生成する場合、相異なる基地局を示すパイロットパターン内のパイロットサブキャリア信号が混在してしまい、パイロットパターンを用いて基地局を区分することができなくなる。
【００１５】
以下、図１に基づき、パイロットパターンにて生成可能な全ての勾配について説明する。
図１は、通常のＯＦＤＭ通信システムにおいて、パイロットパターンにて生成可能なあらゆる勾配を概略的に示している。
【００１６】
図１を参照すると、パイロットパターンにて生成可能な勾配とその数は、すなわち、パイロットサブキャリア信号の送信による勾配とその数は、コヒーレンス帯域幅１００とコヒーレンス時間１１０によって制限される。図１において、上記コヒーレンス帯域幅１００が６であり、コヒーレンス時間１１０が１であるときに、パイロットパターンの勾配が整数であるとすれば、上記条件下において発生可能なパイロットパターンの勾配は、ｓ＝０（１０１）からｓ＝５（１０６）までの６個となる。すなわち、上記条件下において発生可能なパイロットパターンの勾配は、０から５までの整数のいずれかの整数値となる。このように、発生可能なパイロットパターンの勾配が６個であることは、上記条件を満足するＯＦＤＭ通信システムにおいて、上記パイロットパターンを用いて区分可能な基地局の数が６個であることを意味する。そして、図１における線影円１０７は、コヒーレンス帯域幅１００だけ離間しているパイロットサブキャリア信号を示す。
【００１７】
要するに、上述のように、ＯＦＤＭ通信システムにおいて、該ＯＦＤＭ通信システムを構成する基地局を区分するために用いられるパイロットパターンが、コヒーレンス帯域幅とコヒーレンス時間に制限されながら生成されるため、その生成可能なパターン数に制限がある。このため、上記ＯＦＤＭ通信システムを構成する基地局の数が増えた場合、生成可能なパターン数の制限によって区分可能な基地局の数に制限が生じるという不都合がある。
【００１８】
さらに、上記パイロットサブキャリア信号が同じ位相を有する場合、ピーク電力対平均電力比（Peak to Average Power Ratio、以下、「ＰＡＰＲ」と称する。）が高くなることがある。上記ＰＡＰＲが高くなると、送信端が送信する上記パイロットサブキャリア間の直交性が壊れてしまうため、上記ＰＡＰＲを極力抑えたパイロットサブキャリア信号を設計しなければならない。
【発明の開示】
【発明が解決しようとする課題】
【００１９】
そこで、本発明の目的は、ＯＦＤＭ通信システムにおいて、基地局及びセクターの区分のためのパイロット信号を送受信する装置及び方法を提供するところにある。
【００２０】
本発明の他の目的は、ＯＦＤＭ通信システムにおいて、相互間の干渉を極力抑えるパイロット信号を送受信する装置及び方法を提供するところにある。
【００２１】
本発明のさらに他の目的は、ＯＦＤＭ通信システムにおいて、基地局の区分のためのパイロット信号を１以上の送信アンテナを介して送受信する装置及び方法を提供するところにある。
【課題を解決するための手段】
【００２２】
上記の目的を達成するための本発明の一つの方法は、それぞれが１以上のセクターと１以上の送信アンテナを有する多数のセルを備え、全体の周波数帯域がＮ本のサブキャリア帯域に分割される通信システムにおける、上記セルと、セクターを区分するための基準信号を１以上の送信アンテナを介して送信する方法において、所定のウォルシュ・アダマール行列からセル識別子に相当する行を選択し、上記選択した行を所定の設定回数だけ繰り返すステップと、所定のウォルシュコードのうちセクター識別子に相当するウォルシュコードを所定の設定回数だけ繰り返すステップと、所定のシーケンスのうち、上記セル識別子及びセクター識別子に対応するシーケンスを選択するステップと、上記繰り返されたウォルシュ・アダマール行列の各行を所定のインタリーブ方式によりインタリーブするステップと、上記インタリーブされたウォルシュ・アダマール行列の各行と上記繰り返されたウォルシュコードを排他的論理和して得た信号と上記シーケンスとを連接して上記基準信号を生成するステップと、所定の基準信号送信区間において上記基準信号を送信するステップと、を含むことを特徴とする。
【００２３】
上記の目的を達成するための本発明の他の方法は、隣設する複数の基地局と、上記基地局によりそれぞれ占められる複数のセルと、上記セル内において移動する移動加入者端末と、を備える通信システムにおける、上記基地局のそれぞれから上記移動加入者端末にパイロットシンボルを伝送する方法において、上記パイロットシンボルの周波数領域において、基地局の区分のためのシーケンスを示す基地局区分サブキャリアを伝送するステップと、上記周波数領域において、上記基地局区分サブキャリアの伝送と共に、上記パイロットシンボルのピーク電力対平均電力比（ＰＡＰＲ）を減少するためのシーケンスを示すＰＡＰＲサブキャリアを伝送するステップと、を含むことを特徴とする。
【００２４】
上記の目的を達成するための本発明の装置は、隣設する複数の基地局と、上記基地局によりそれぞれ占められる複数のセルと、上記セル内において移動する移動加入者端末を備える通信システムにおける、上記基地局のそれぞれから上記移動加入者端末へとパイロットシンボルを伝送する装置において、上記パイロットシンボルの周波数領域において、基地局の区分のためのシーケンスを示す基地局区分サブキャリアを伝送し、上記周波数領域において、上記基地局区分サブキャリアの伝送と共に、上記パイロットシンボルのピーク電力対平均電力比（ＰＡＰＲ）を減少するためのシーケンスを示すＰＡＰＲサブキャリアを伝送する送信機を備えることを特徴とする。
【発明の効果】
【００２５】
本発明は、ＯＦＤＭ通信システムにおいて、ウォルシュ・アダマール行列と該ウォルシュコードを用いてセルＩＤ及びセクターＩＤを区分可能にするパイロット信号の送受信方案を提供することにより、上記ＯＦＤＭ通信システムにおいて区分可能なセルＩＤ及びセクターＩＤの数を増大することが可能であるという利点を有する。また、上記ウォルシュ・アダマール行列と該ウォルシュコードのみならず、ＰＡＰＲの低減シーケンスを用いてパイロット信号を送受信する方案を提供することにより、パイロット信号のＰＡＰＲを低減することができるという利点を有する。さらに、本発明は、多重入力多重出力方式を用い、セクターの区分を不要とするＯＦＤＭ通信システムにおいて、ウォルシュ・アダマール行列と該ウォルシュコードを用いて送信アンテナ及びセルＩＤを区分可能にするパイロット信号の送受信方案を提供することにより、区分可能なセルＩＤ及び送信アンテナの数が増大するという利点を有する。
【発明を実施するための最良の形態】
【００２６】
以下、添付した図面に基づき、本発明に係る好適な実施の形態を詳細に説明する。本発明を説明するに当たって、関連する公知の機能あるいは構成についての詳細な説明が本発明の要旨を余計に曖昧にすると認められる場合、その詳細な説明を省く。
【００２７】
本発明は、直交周波数分割多重（ＯＦＤＭ：Orthogonal Frequency Division Multiplexing；以下、「ＯＦＤＭ」と称する。）方式を用いる通信システム（以下、「ＯＦＤＭ通信システム」と称する。）において、基地局（ＢＳ：Base Station）またはセクターの区分のためのパイロット信号を送受信する方案を提案する。特に、本発明は、上記基地局及びセクター区分を行いながらも、シンボル間の相互干渉を極力抑えることのできるパイロット信号を送受信する方案を提案する。
【００２８】
図２は、本発明の実施の形態によるＯＦＤＭ通信システムにおけるパイロット発生器の内部構造を示す図である。
図２を参照すると、上記パイロット発生器は、ウォルシュ・アダマール行列発生器２０１と、選択器２０３と、ウォルシュコードリピーター２０５と、インタリーバ２０７−１、．．．、２０７−Ｕと、加算器２０９−１、．．．、２０９−Ｕと、サブキャリア割当器２１１と、により構成される。
【００２９】
先ず、セル識別子（ＩＤ：Identifier、以下、「ＩＤ」と称する。）は、セル、すなわち基地局（ＢＳ）を区分するためのＩＤであって、上記セルＩＤは、上記選択器２０３に入力される。また、上記ウォルシュ・アダマール行列発生器２０１は、各行がウォルシュコードであるウォルシュ・アダマール行列を生成する。上記選択器２０３は、上記セルＩＤが入力されるに伴い、上記ウォルシュ・アダマール行列発生器２０１において生成したウォルシュ・アダマール行列のうち上記セルＩＤに対応する行を選択した後、上記インタリーバ２０７−１、．．．、２０７−Ｕのそれぞれに出力する。ここで、上記選択器２０３から出力される上記セルＩＤに対応するウォルシュ・アダマール行列の行は、上記ＯＦＤＭ通信システムの特性に応じて１回のみ用いられてもよく、多数回繰り返し用いられてもよい。ここで、上記セルＩＤに対応するウォルシュ・アダマール行列の行を繰り返す基準は、パイロットシンボルの長さであり、上記パイロットシンボル長に応じて上記セルＩＤに対応するウォルシュ・アダマール行列の行を繰り返す回数が決められる。図２においては、上記セルＩＤに対応するウォルシュ・アダマール行列の行がＵ回繰り返されるとする。
【００３０】
このため、上記選択器２０３から出力する上記セルＩＤに対応するウォルシュ・アダマール行列の行は、上記Ｕ個のインタリーバ、すなわち、インタリーバ２０７−１、．．．、２０７−Ｕのそれぞれに入力される。上記インタリーバ２０７−１、．．．、２０７−Ｕのそれぞれは、上記選択器２０３から出力する信号を入力し、所定の設定インタリーブ方式によりインタリーブした後、加算器２０９−１、．．．、２０９−Ｕのそれぞれに出力する。ここで、上記インタリーバ２０７−１、．．．、２０７−Ｕのそれぞれが上記選択器２０３から出力した信号を上記設定インタリーブ方式によりインタリーブする理由は、上記ウォルシュ・アダマール行列の各行は特定のパターンの数字列が頻繁に繰り返される特徴を持つため、ピーク対平均電力比（ＰＡＰＲ：Peak to Average Power Ratio、以下、「ＰＡＰＲ」と称する。）が高いためである。すなわち、上記ウォルシュ・アダマール行列の行を構成するエレメントをインタリーブすることにより、上記ＯＦＤＭ通信システムのパイロット信号のＰＡＰＲを低めるように制御するのである。
【００３１】
セクターＩＤは、セクターを区分するためのＩＤであって、該セクターＩＤは、上記ウォルシュコードリピーター２０５に入力される。上記ウォルシュコードリピーター２０５は、上記セクターＩＤが入力されると、上記セクターＩＤに対応するウォルシュコードを所定の設定回数だけ繰り返して上記加算器２０９−１、．．．、２０９−Ｕに出力する。本発明の実施の形態においては、上記ＯＦＤＭ通信システムのパイロットシンボルの長さがＮＰであり、上記ウォルシュ・アダマール行列の次数がＮＨであり、上記ウォルシュコードの長さがＮＷであるとする。この場合、上記ウォルシュコードリピーター２０５は、上記セクターＩＤに対応するウォルシュコードをＮＨ／ＮＷ回繰り返して出力する。ここで、上記ウォルシュコードリピーター２０５から出力する信号の長さは、上記インタリーバ２０７−１、．．．、２０７−Ｕのそれぞれから出力する信号の長さＮＨと同じである。上記加算器２０９−１、．．．、２０９−Ｕのそれぞれは、上記インタリーバ２０７−１、．．．、２０７−Ｕのそれぞれから出力する信号と上記ウォルシュコードリピーター２０５から出力する信号を排他的論理和（ＸＯＲ：exclusive ＯＲ）演算して上記サブキャリア割当器２１１に出力する。
【００３２】
また、ＰＡＰＲ低減シーケンスは、上記ＯＦＤＭ通信システムにおいてパイロットシンボルのＰＡＰＲを低減するシーケンスであって、上記ＰＡＰＲ低減シーケンスの長さはＮＲである。ここで、上記ＰＡＰＲ低減シーケンスは、上記セルＩＤ及びセクターＩＤに対応して予め決められているとする。上記長さＮＲのＰＡＰＲ低減シーケンスは、上記サブキャリア割当器２１１に入力される。上記サブキャリア割当器２１１は、上記加算器２０９−１、．．．、２０９−Ｕのそれぞれから出力する信号と上記ＰＡＰＲシーケンスを該当サブキャリアを介して送信するように、サブキャリアを割り当ててパイロットシンボルとして出力する。ここで、上記サブキャリア割当器２１１から出力するパイロットシンボルの長さは、
【数１】
2007527181.tif 000003
となる。
【００３３】
図３は、本発明の実施の形態によるＯＦＤＭ通信システムにおける送信機の内部構造を示す図である。
図３を参照すると、上記送信機（基地局である場合もある）は、変調器３０１と、パイロット発生器３０３と、変調器３０５と、選択器３０７と、シリアル／パラレル変換器３０９と、逆高速フーリエ変換（ＩＦＦＴ：Inverse Fast Fourier Transform、以下、「ＩＦＦＴ」と称する。）器３１１と、パラレル／シリアル変換器３１３と、保護区間挿入器３１５と、デジタル／アナログ変換器３１７と、無線周波数（ＲＦ：Radio Frequency、以下、「ＲＦ」と称する。）処理器３１９と、を備える。
【００３４】
先ず、伝送したいデータ、すなわち、情報データビットが発生すると、該情報データビットは、上記第１の変調器３０１に入力される。上記第１の変調器３０１は、上記入力される情報データビットを所定の変調方式により変調して変調シンボルとして生成した後、上記選択器３０７に出力する。ここで、上記変調方式としては、ＱＰＳＫ（Quadrature Phase Shift Keying）方式、若しくは１６ＱＡＭ（Quadrature Amplitude Modulation）方式など種々の変調方式が用いられる。
【００３５】
また、パイロットシンボルを伝送したいとき、上記パイロットシンボルを伝送したいセルセクターのセルＩＤと、セクターＩＤ、及び上記セルＩＤとセクターＩＤに対応する所定のＰＡＰＲ低減シーケンスが上記パイロット発生器３０３に入力される。上記パイロット発生器３０３は、上記入力されるセルＩＤと、セクターＩＤ及びＰＡＰＲ低減シーケンスをパイロットシンボルとして生成した後、上記第２の変調器３０５に出力する。ここで、上記パイロット発生器３０３の内部構造は、図２における説明と同様である。上記第２の変調器３０５は、上記パイロット発生器３０３から出力する信号を入力して所定の変調方式により変調して変調シンボルとして生成した後、上記選択器３０７に出力する。ここで、上記変調方式としては、ＢＰＳＫ（Binary Phase Shift Keying）方式などが用いられる。
【００３６】
上記選択器３０７は、上記送信機が現在データシンボルを送信すべきデータシンボル送信区間である場合には、上記第１の変調器３０１から出力する信号が上記シリアル／パラレル変換器３０９に出力されるように制御し、上記送信機が現在パイロットシンボルを送信すべきパイロットシンボル送信区間である場合には、上記第２の変調器３０５から出力する信号が上記シリアル／パラレル変換器３０９に出力されるように制御する。上記シリアル／パラレル変換器３０９は、上記選択器３０７から出力するシリアル変調シンボルを入力してパレレル変換した後、上記ＩＦＦＴ器３１１に出力する。上記ＩＦＦＴ器３１１は、上記シリアル／パラレル変換器３０９から出力する信号を入力してＮ−ポイントＩＦＦＴを行った後、上記パラレル／シリアル変換器３１３に出力する。
【００３７】
上記パラレル／シリアル変換器３１３は、上記ＩＦＦＴ器３１１から出力した信号を入力してシリアル変換した後、上記保護区間挿入器３１５に出力する。上記保護区間挿入器３１５は、上記パラレル／シリアル変換器３１３から出力した信号を入力して保護区間信号を挿入した後、上記デジタル／アナログ変換器３１７に出力する。ここで、上記保護区間は、以前のＯＦＤＭシンボル時間に送信したＯＦＤＭシンボルと現在のＯＦＤＭシンボル時間に送信する現在のＯＦＤＭシンボルとの間の干渉を除去するために挿入される。また、上記保護区間は、時間領域のＯＦＤＭシンボルの最後の一定のサンプルをコピーして有効ＯＦＤＭシンボルに挿入する「サイクリック・プレフィックス（Cyclic Prefix）」方式、或いは時間領域のＯＦＤＭシンボルの最初の一定のサンプルをコピーして有効ＯＦＤＭシンボルに挿入する「サイクリック・ポストフィックス（Cyclic Postfix）」方式を用いて挿入される。上記保護区間挿入器３１５から出力する信号が結果的に１個のＯＦＤＭシンボルとなる。
【００３８】
上記デジタル／アナログ変換器３１７は、上記保護区間挿入器３１５から出力した信号を入力してアナログ変換した後、上記無線周波数処理器３１９に出力する。ここで、上記ＲＦ処理器３１９は、フィルタと前処理器などを備え、上記デジタル／アナログ変換器３１７から出力した信号を実際に空中を通じて伝送可能にＲＦ処理した後、アンテナを介して空中に送り出す。
【００３９】
図４は、本発明の実施の形態によるＯＦＤＭ通信システムの受信機の内部構造を示す。
図４を参照すると、上記受信機は、ＲＦ処理器４０１と、アナログ／デジタル変換器４０３と、保護区間除去器４０５と、シリアル／パラレル変換器４０７と、高速フーリエ変換（ＦＦＴ：Fast Fourier Transform、以下、「ＦＦＴ」と称する。）器４０９と、パラレル／シリアル変換器４１１と、選択器４１３と、復調器４１５、４１７と、セルＩＤ／セクターＩＤ検出器４１９とにより構成される移動加入者端末であってもよい。
【００４０】
先ず、上記ＯＦＤＭ通信システムの送信機から送信した信号は、多経路チャンネルを経てノイズ成分が加算され、上記受信機のアンテナを介して受信される。上記アンテナを介して受信された信号は、上記ＲＦ処理器４０１に入力され、上記ＲＦ処理器４０１は、上記アンテナを介して受信された信号を中間周波数（ＩＦ：Intermediate Frequency）帯域にダウン変換した後、上記アナログ／デジタル変換器４０３に出力する。上記アナログ／デジタル変換器４０３は、上記ＲＦ処理器４０１から出力したアナログ信号をデジタル変換した後、上記保護区間除去器４０５に出力する。
【００４１】
上記保護区間除去器４０５は、上記アナログ／デジタル変換器４０３から出力した信号を入力して保護区間信号を除去した後、上記シリアル／パラレル変換器４０７に出力する。上記シリアル／パラレル変換器４０７は、上記保護区間除去器４０５から出力したシリアル信号を入力してパラレル変換した後、上記ＦＦＴ器４０９に出力する。上記ＦＦＴ器４０９は、上記シリアル／パラレル変換器４０７から出力した信号に対してＮ−ポイントＦＦＴを行った後、上記パラレル／シリアル変換器４１１に出力する。
【００４２】
上記パラレル／シリアル変換器４１１は、上記ＦＦＴ器４０９から出力したパラレル信号を入力してシリアル変換した後、上記選択器４１３に出力する。上記選択器４１３は、上記受信機が現在データシンボルを受信すべきデータシンボル受信区間である場合には、上記ＦＦＴ器４０９から出力する信号が上記第１の復調器４１５に出力されるように制御し、上記受信機が現在パイロットシンボルを受信すべきパイロットシンボル受信区間である場合には、上記ＦＦＴ器４０９から出力する信号が上記第２の復調器４１７に出力されるように制御する。上記第１の復調器４１５は、上記ＦＦＴ器４０９から出力する信号を上記送信機において適用した変調方式に応じて復調して、データ、すなわち情報データビットに復元して出力する。
【００４３】
一方、上記第２の復調器４１７は、上記ＦＦＴ器４０９から出力する信号を上記送信機において適用した変調方式に応じて復調してパイロットに復元した後、上記セルＩＤ／セクターＩＤ検出器４１９に出力する。上記セルＩＤ／セクターＩＤ検出器４１９は、上記第２の復調器４１７から出力するパイロット信号を入力して上記パイロット信号に相当するセルＩＤ及びセクターＩＤを検出する。ここで、上記パイロット信号は、セルＩＤ及びセクターＩＤに対応して生成される信号であって、上記送信機と受信機との間に予め規約されている。
【００４４】
図５は、図４のセルＩＤ／セクターＩＤ検出器４１９の内部構造を示す。
図５を参照すると、上記セルＩＤ／セクターＩＤ検出器４１９は、パイロット抽出器５０１と、ウォルシュコードリピーター５０３と、Ｕ個の加算器５０５−１、．．．、５０５−Ｕと、Ｕ個のデインタリーバ５０７−１、．．．、５０７−Ｕと、Ｕ個の逆高速アダマール変換（ＩＦＨＴ：Inverse Fast Hadamard Transform、以下、「ＩＦＨＴ」と称する。）器５０９−１、．．．、５０９−Ｕと、比較選択器５１１と、により構成されている。
【００４５】
先ず、図４の復調器４１７から出力する信号は、上記パイロット抽出器５０１に入力され、上記パイロット抽出器５０１は、上記復調器４１７から出力した信号を入力してＰＡＰＲ低減シーケンスを除去し、Ｕ・ＮＨ個のシンボルを抽出した後、ＮＨの長さを有するＵ個のシンボルに分割して上記Ｕ個の加算器５０５−１、．．．、５０５−Ｕのそれぞれに出力する。また、上記ウォルシュコードリピーター５０３は、上記受信機が区別可能な全てのセクターＩＤに相当するウォルシュコードを繰り返して出力し、上記全てのセクターＩＤに相当するウォルシュコードのうち順次に１ウォルシュコードを選択した後、繰り返して上記Ｕ個の加算器５０５−１、．．．、５０５−Ｕのそれぞれに出力する。
【００４６】
上記Ｕ個の加算器５０５−１、．．．、５０５−Ｕのそれぞれは、上記パイロット抽出器５０１から出力する信号と上記ウォルシュコードリピーター５０３から出力する信号を排他的論理和演算した後、Ｕ個のデインタリーバ５０７−１、．．．、５０７−Ｕのそれぞれに出力する。上記Ｕ個のデインタリーバ５０７−１、．．．、５０７−Ｕのそれぞれは、上記Ｕ個の加算器５０５−１、．．．、５０５−Ｕのそれぞれから出力した信号を上記送信機のパイロット発生器の内部のインタリーバ、すなわち、図２のＵ個のインタリーバ２０７−１、．．．、２０７−Ｕのそれぞれにおいて適用したインタリーブ方式と同じインタリーブ方式を用いてインタリーブした後、上記Ｕ個のＩＦＨＴ器５０９−１、．．．、５０９−Ｕのそれぞれに出力する。上記Ｕ個のＩＦＨＴ器５０９−１、．．．、５０９−Ｕのそれぞれは、上記Ｕ個のデインタリーバ５０７−１、．．．、５０７−Ｕのそれぞれから出力した信号を入力して上記受信機が区別可能な全てのセルＩＤに対応するウォルシュ・アダマール行列の各行と、全てのセクターＩＤに対応するウォルシュコードに対して相関を行った後、すなわち、ＩＦＨＴを行った後、上記比較選択器５１１に出力する。
【００４７】
上記比較選択器５１１は、上記Ｕ個のＩＦＨＴ器５０９−１、．．．、５０９−Ｕのそれぞれから出力した信号を入力し、上記Ｕ個のＩＦＨＴ器５０９−１、．．．、５０９−Ｕのそれぞれから出力した上記全てのセルＩＤに対応するウォルシュ・アダマール行列の各行と、全てのセクターＩＤに対応するウォルシュコードに対して相関値のうち最大値を有する相関値を選択し、該選択した最大の相関値に相当するセルＩＤ及びセクターＩＤを出力する。
【００４８】
図６は、本発明の実施の形態によるＯＦＤＭ通信システムにおける送信機の動作過程を示す手順図である。
以下では、上記送信機のパイロット信号送信動作だけを説明し、データ信号の送信動作については、本発明と直接的な関連性がないためその詳細な説明を省略する。
【００４９】
図６を参照すると、先ず、ステップＳ６１１において、上記送信機は、当該送信機のセルＩＤと、セクターＩＤ及びＰＡＰＲ低減シーケンスを用いてパイロットシンボルを生成した後、ステップＳ６１３へ進む。上記ステップＳ６１３において、上記送信機は、生成したパイロットシンボルを所定の設定変調方式、例えば、ＢＰＳＫ方式などの変調方式により変調して変調シンボルを生成した後、ステップＳ６１５へ進む。上記ステップＳ６１５において、上記送信機は、上記変調シンボル変換されたパイロットシンボルをパイロットシンボル区間において送信した後、終了する。もちろん、図６に別に示してはいないが、上記パイロットシンボルを送信するに当たり、周波数オフセットを考慮すればよい。すなわち、上記パイロットシンボルが始まる位置をセル及びセクターごとに異ならせることができ、多数の送信アンテナを用いるシステムにおいて周波数オフセットを送信アンテナごとに異ならせて多数の送信アンテナを介してパイロットシンボルを送信することができる。
【００５０】
図７は、本発明の実施の形態によるＯＦＤＭ通信システムにおける受信機の動作過程を示す手順図である。
以下では、上記受信機のパイロット信号受信動作だけを説明し、データ信号の受信動作については、本発明とは直接的な関連性がないためその詳細な説明を省略する。
【００５１】
図７を参照すると、先ず、ステップＳ７１１において、上記受信機は、パイロットシンボル区間においてパイロットシンボルを受信した後、ステップＳ７１３に進む。ここで、図７に別に示してはいないが、図６において説明したように、送信機において周波数オフセットを考慮してパイロットシンボルを送信した場合には、上記受信機は、上記周波数オフセットに対応するように位置を決めた後、上記パイロットシンボルを受信する。上記ステップＳ７１３において、上記受信機は、上記パイロットシンボルを送信機において適用した変調方式に対応する復調方式により復調した後、ステップＳ７１５に進む。上記ステップＳ７１５において、上記受信機は、上記復調されたパイロットシンボルを上記受信機において区別可能な全てのセルＩＤに対応するウォルシュ・アダマール行列の各行と、全てのセクターＩＤに対応するウォルシュコードに対して相関を行った後、すなわち、ＩＦＨＴを行った後、そのうち最大の相関値を有するセルＩＤ及びセクターＩＤを上記送信機のセルＩＤ及びセクターＩＤとして検出した後、終了する。
【００５２】
図８は、本発明の実施の形態によるＯＦＤＭ通信システムにおいてＩＦＦＴを行う際のサブキャリアとパイロットシンボルとのマッピング関係を概略的に示す図である。
図８中、上記ＯＦＤＭ通信システムにおいて用いられる全体のサブキャリアの数が２０４８であり、上記２０４８本のサブキャリアのうち実際に用いられるサブキャリアの数が１５５２本である場合、すなわち、−７７６番のサブキャリアから−１番のサブキャリアまでの７７６本のサブキャリアと、１番のサブキャリアから７７６番のサブキャリアまでの７７６本のサブキャリア、すなわち、合計で１５５２本のサブキャリアが用いられる場合を想定する。図８中、ＩＦＦＴ器の入力端の番号、すなわち、ｋは、上記ＯＦＤＭ通信システムのサブキャリアのインデックスを示す。
【００５３】
そして、０番のサブキャリアは、ＩＦＦＴを行った後には、時間領域において上記パイロットシンボルの基準点、すなわち、時間領域においてＤＣ成分を示すため、上記０番のサブキャリアにはヌルデータを挿入する。また、上記実際に用いられる１５５２本のサブキャリアと、上記０番のサブキャリアを除くサブキャリア、すなわち−７７７番のサブキャリアから−１０２４番のサブキャリアまでのサブキャリアと、７７７番のサブキャリアから１０２３番のサブキャリアまでのサブキャリアにも同様にヌルデータが挿入される。ここで、−７７７番のサブキャリアから−１０２４番のサブキャリアまでのサブキャリアと、７７７番のサブキャリアから１０２３番のサブキャリアまでのサブキャリアにヌルデータが挿入される理由は、上記−７７７番のサブキャリアから−１０２４番のサブキャリアまでのサブキャリアと、７７７番のサブキャリアから１０２３番のサブキャリアまでのサブキャリアが隣り合う周波数帯域を用いる他のシステムとの干渉を防ぐための保護帯域に相当するためである。
【００５４】
このため、周波数領域のパイロットシンボルがＩＦＦＴ器に入力すると、上記ＩＦＦＴ器は、入力される周波数領域のパイロットシンボルを当該サブキャリアにマッピングしてＩＦＦＴを行い、時間領域のパイロットシンボルとして出力する。
【００５５】
図９は、本発明の実施の形態によるＯＦＤＭ通信システムの時間領域におけるパイロットシンボルの構造を示す。
図９を参照すると、上記パイロットシンボルは、ｐｃ長の、すなわち、ＮＦＦＴ／２の長さのシンボルが２回繰り返された形を有し、ＯＦＤＭ通信システムの特性から、上述のサイクリック・プレフィックス（ＣＰ）方式により挿入された保護区間信号が上記長さのシンボルが２回繰り返されたものの先端に付加されている。ここで、上記ＮＦＦＴは、上記ＯＦＤＭ通信システムにおいて用いられるＩＦＦＴ／ＦＦＴ演算のポイント数を示す。
【００５６】
図１０は、本発明の実施の形態によるＯＦＤＭ通信システムの周波数領域におけるパイロットシンボルの構造を示す。
図１０を参照すると、先ず、保護帯域（ＧＢ：Guard Band）、すなわち、保護区間１００１、１００７を除くサブキャリア区間は、大きく相関区間１００３と、ＰＡＰＲ区間１００５とに分けられる。上記相関区間１００３は、相関値が大きなシーケンスの集合により構成され、上記ＰＡＰＲ区間１００５は、上記相関区間１００３を構成するシーケンスのそれぞれに対するＰＡＰＲ低減シーケンスにより構成される。図５における相関値の計算は、上記相関区間１００３に対してのみ行われる。
【００５７】
図１０中、Ｈ１２８は、１２８次のウォルシュ・アダマール行列を示し、
【数２】
2007527181.tif 000004
は、長さ１２８のインタリーブ方式により上記１２８次のウォルシュ・アダマール行列Ｈ１２８の列をインタリーブする。また、図１０中、Ｗ（・）は、ウォルシュコードマスキングを示す。上記パイロットシンボルは、下記式１で表される周波数領域シーケンスにより生成される。
【数３】
2007527181.tif 000005
2007527181.tif 000006
上記式１において、ＩＤｃｅｌｌはセルＩＤ（すなわち、基地局ＩＤ）を示し、ｓはセクターＩＤを示し、ｋはサブキャリアのインデックスを示し、ｍは
【数４】
2007527181.tif 000007
シーケンスの実行インデックスを示す。本発明の実施の形態においては、全ての基地局とセクターのパイロットシンボルが同じ周波数オフセットを用いるとする。上記式１に示すように、周波数領域の
【数５】
2007527181.tif 000008
シーケンスは偶数インデックスを有するサブキャリアにのみ上記式１による値が与えられ、奇数インデックスを有するサブキャリアには無条件に０の値が与えられるため、ＩＦＦＴ演算を行う場合、時間領域において同じシーケンスが２回繰り返される形を有する。
【００５８】
また、上記式１において、
【数６】
2007527181.tif 000009
は、パイロットシンボルの送信電力レベルに上記パイロットシンボル区間以外の区間、すなわち、データシンボル区間において送信されるデータシンボルの送信電力レベルと同じ送信電力レベルを持たせるために設定される重み付け値であり、
【数７】
2007527181.tif 000010
は、下記式２のように定義される。
【数８】
2007527181.tif 000011
【００５９】
上記式２において、Ｈ１２８（ｉ、ｊ）は１２８次のウォルシュ・アダマール行列の（ｉ、ｊ）番目のエレメントを示し、ｉ及びｊは、０、１、２、．．．、１２７の値を有する。上記１２８次のウォルシュ・アダマール行列Ｈ１２８の第１行目は、全てのエレメントが１であるため、２番目の行列から用いる。また、上記式２において、
【数９】
2007527181.tif 000012
は、
【数１０】
2007527181.tif 000013
番目のインタリーブ方式であって、上記
【数１１】
2007527181.tif 000014
は、
【数１２】
2007527181.tif 000015
よりも大きくない最大整数を示す。ここで、上記
【数１３】
2007527181.tif 000016
番目のインタリーブ方式とは、図２のパイロット発生器内のＵ個のインタリーバのうち、上記
【数１４】
2007527181.tif 000017
番目のインタリーバにおいて適用するインタリーブ方式を意味する。
【００６０】
図１０においては、本発明の実施の形態によるＯＦＤＭ通信システムの周波数領域におけるパイロットシンボルの構造について説明した。次に、図１１に基づき、図２のパイロット発生器内のＵ個のインタリーバ２０７−１、．．．、２０７−Ｕの内部構造について説明する。
【００６１】
図１１は、図２のパイロット発生器内のインタリーバの内部構造を示す。
図１１を参照すると、上記インタリーバは、図示のごとく、生成多項式（Ｘ７＋Ｘ＋１）から生成された擬似雑音（ＰＮ：Psuedo Noise）シーケンス生成器の７個のメモリ１１０１、１１０３、１１０５、１１０７、１１０９、１１１１、１１１３の値を１０進数に変換して、図１０における
【数１５】
2007527181.tif 000018
番目のインタリーバのインタリーブ方式
【数１６】
2007527181.tif 000019
を生成する。上記インタリーバのそれぞれに対するＰＮシーケンス生成器の初期値は、図１１に示す通りであり、上記７個のメモリ１１０１、１１０３、１１０５、１１０７、１１０９、１１１１、１１１３のそれぞれには、１から１２７までの整数が１回ずつのみ記述される。このため、長さ１２８のインタリーバに対応するインタリーブ方式を生成するためには、
【数１７】
2007527181.tif 000020
は０に設定し
【数１８】
2007527181.tif 000021
上記インタリーブ方式は、下記表１に示す通りである。
【表１】
2007527181.tif 000022
【００６２】
上記表１に示すように、インタリーブ方式
【数１９】
2007527181.tif 000023
は、上記１２８次のウォルシュ・アダマール行列の選択された行を構成する１２８個のエレメントを上記表１に示す順番に配置し、その結果としてインタリーブの効果を奏するものである。ここで、上記インタリーブ方式
【数２０】
2007527181.tif 000024
は、上記長さ１２８の周波数領域のシーケンス
【数２１】
2007527181.tif 000025
を構成する１２８個のエレメントのそれぞれを上記表１に示す順番にその位置を入れ替える方式であって、上記表１における各数字は、上記周波数領域のシーケンス
【数２２】
2007527181.tif 000026
を構成する１２８個のエレメントのそれぞれが一対一にマッピングされるサブキャリアのインデックスを示す。
【００６３】
一方、
【数２３】
2007527181.tif 000027
の値は、上記パイロットシンボルのＰＡＰＲを最小にするＰＡＰＲ低減シーケンスにより決められるものである。下記表２に、セルＩＤとセクターＩＤに対応するＰＡＰＲ低減シーケンスと上記セルＩＤとセクターＩＤに対応するパイロットシンボルのＰＡＰＲを示す。
【００６４】
【表２】
2007527181.tif 000028
2007527181.tif 000029
【００６５】
一方、上述の如きパイロット信号の送受信方案においては、多重入力多重出力（ＭＩＭＯ：Multiple Input Multiple Output）方式を用い、セクターの区分を不要とするＯＦＤＭ通信システムにも適用可能である。ここで、上記セクターの区分が不要であることから、上述のパイロット信号の送受信方案とは異なって、上記セクター識別子に応じて生じていた相異なるウォルシュコードを、所定のウォルシュコード、例えば、ａｌｌ １ウォルシュコードとして同一に用いる。
【００６６】
また、上記ＯＦＤＭ通信システムの送信機、例えば、基地局がＮｔ個の送信アンテナＴｘ．ＡＮＴを用いる場合、上記Ｎｔ個の送信アンテナのそれぞれを介して送信されるパイロットシンボルは、下記式３のように表わされる。
【数２４】
2007527181.tif 000030
【００６７】
上記式３中、ｎは、送信アンテナＩＤを示し、ｋは、サブキャリアのインデックスを示す。また、上記式３における
【数２５】
2007527181.tif 000031
は、下記式４のように定義される。
【数２６】
2007527181.tif 000032
【００６８】
上記式４中、シーケンスＲ（ｒ）とＴ（ｋ）は、上記送信アンテナの数Ｎｔと上記ＯＦＤＭ通信システムにおいて用いられるＩＦＦＴ／ＦＦＴ演算ポイントの数によって異なるように定義され、このため、上記
【数２７】
2007527181.tif 000033
もまた上記送信アンテナの数Ｎｔと上記ＯＦＤＭ通信システムにおいて用いられるＩＦＦＴ／ＦＦＴ演算ポイントの数によって異なるように定義される。
【００６９】
ここで、上記送信アンテナの数Ｎｔと上記ＯＦＤＭ通信システムにおいて用いられるＩＦＦＴ／ＦＦＴ演算ポイントの数ＮＦＦＴによるＲ（ｒ）と、
【数２８】
2007527181.tif 000034
について説明すると、下記の通りである。
【００７０】
上記送信アンテナの数が２つであり、上記ＯＦＤＭ通信システムにおいて用いられるＩＦＦＴ／ＦＦＴ演算ポイント数が２０４８である場合（すなわち、Ｎｔ＝２、ＮＦＦＴ＝２０４８）、上記Ｒ（ｒ）は下記式５に示す通りであり、また、
【数２９】
2007527181.tif 000035
は下記表３及び表４ａから４ｆに１６進数で示す通りである。
【００７１】
【数３０】
2007527181.tif 000036
【００７２】
【表３】
2007527181.tif 000037
【００７３】
【表４ａ】
2007527181.tif 000038
【００７４】
【表４ｂ】
2007527181.tif 000039
【００７５】
【表４ｃ】
2007527181.tif 000040
【００７６】
【表４ｄ】
2007527181.tif 000041
【００７７】
【表４ｅ】
2007527181.tif 000042
【００７８】
【表４ｆ】
2007527181.tif 000043
【００７９】
上記送信アンテナの数が２つであり、上記ＯＦＤＭ通信システムにおいて用いられるＩＦＦＴ／ＦＦＴ演算ポイント数が１０２４である場合（すなわち、Ｎｔ＝２、ＮＦＦＴ＝１０２４）上記Ｒ（ｒ）は下記式６に示す通りであり、また、
【数３１】
2007527181.tif 000044
は下記表５及び表６ａから６ｄに１６進数で示す通りである。
【００８０】
【数３２】
2007527181.tif 000045
【００８１】
【表５】
2007527181.tif 000046
【００８２】
【表６ａ】
2007527181.tif 000047
【００８３】
【表６ｂ】
2007527181.tif 000048
【００８４】
【表６ｃ】
2007527181.tif 000049
【００８５】
【表６ｄ】
2007527181.tif 000050
【００８６】
上記送信アンテナの数が２つであり、上記ＯＦＤＭ通信システムにおいて用いられるＩＦＦＴ／ＦＦＴ演算ポイント数が５１２である場合（すなわち、Ｎｔ＝２、ＮＦＦＴ＝５１２）上記Ｒ（ｒ）は下記式７に示す通りであり、また、
【数３３】
2007527181.tif 000051
は下記表７及び表８ａから表８ｂに１６進数で示す通りである。
【００８７】
【数３４】
2007527181.tif 000052
【００８８】
【表７】
2007527181.tif 000053
【００８９】
【表８ａ】
2007527181.tif 000054
【００９０】
【表８ｂ】
2007527181.tif 000055
【００９１】
上記送信アンテナの数が３つであり、上記ＯＦＤＭ通信システムにおいて用いられるＩＦＦＴ／ＦＦＴ演算ポイント数が２０４８である場合（すなわち、Ｎｔ＝３、ＮＦＦＴ＝２０４８）上記Ｒ（ｒ）は下記式８に示す通りであり、また、
【数３５】
2007527181.tif 000056
は下記表９及び表１０ａから１０ｄに１６進数で示す通りである。
【００９２】
【数３６】
2007527181.tif 000057
【００９３】
【表９】
2007527181.tif 000058
【００９４】
【表１０ａ】
2007527181.tif 000059
【００９５】
【表１０ｂ】
2007527181.tif 000060
【００９６】
【表１０ｃ】
2007527181.tif 000061
【００９７】
【表１０ｄ】
2007527181.tif 000062
【００９８】
上記送信アンテナの数が３つであり、上記ＯＦＤＭ通信システムにおいて用いられるＩＦＦＴ／ＦＦＴ演算ポイント数が１０２４である場合（すなわち、Ｎｔ＝３、ＮＦＦＴ＝１０２４）上記Ｒ（ｒ）は下記式９に示す通りであり、また、
【数３７】
2007527181.tif 000063
は下記表１１及び表１２ａから１２ｂに１６進数で示す通りである。
【００９９】
【数３８】
2007527181.tif 000064
【０１００】
【表１１】
2007527181.tif 000065
【０１０１】
【表１２ａ】
2007527181.tif 000066
【０１０２】
【表１２ｂ】
2007527181.tif 000067
【０１０３】
上記送信アンテナの数が３つであり、上記ＯＦＤＭ通信システムにおいて用いられるＩＦＦＴ／ＦＦＴ演算ポイント数が５１２である場合（すなわち、Ｎｔ＝３、ＮＦＦＴ＝５１２）上記Ｒ（ｒ）は下記式１０に示す通りであり、また、
【数３９】
2007527181.tif 000068
は下記表１３及び表１４ａから１４ｂに１６進数で示す通りである。
【０１０４】
【数４０】
2007527181.tif 000069
【０１０５】
【表１３】
2007527181.tif 000070
【０１０６】
【表１４ａ】
2007527181.tif 000071
【０１０７】
【表１４ｂ】
2007527181.tif 000072
【０１０８】
なお、本発明の詳細な説明においては、具体的な実施の形態を挙げて説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【０１０９】
【図１】通常のＯＦＤＭ通信システムにおいて、パイロットパターンにて生成可能な全ての勾配を概略的に示す図。
【図２】本発明の実施の形態によるＯＦＤＭ通信システムにおけるパイロット発生器の内部構造を示す図。
【図３】本発明の実施の形態によるＯＦＤＭ通信システムにおける送信機の内部構造を示す図。
【図４】本発明の実施の形態によるＯＦＤＭ通信システムにおける受信機の内部構造を示す図。
【図５】図４のセルＩＤ／セクターＩＤ検出器４１９の内部構造を示す図。
【図６】本発明の実施の形態によるＯＦＤＭ通信システムにおける送信機の動作過程を示す手順図。
【図７】本発明の実施の形態によるＯＦＤＭ通信システムにおける受信機の動作過程を示す手順図。
【図８】本発明の実施の形態によるＯＦＤＭ通信システムにおいてＩＦＦＴを行う際のサブキャリアとパイロットシンボルとのマッピング関係を概略的に示す図。
【図９】本発明の実施の形態によるＯＦＤＭ通信システムの時間領域におけるパイロットシンボルの構造を示す図。
【図１０】本発明の実施の形態によるＯＦＤＭ通信システムの周波数領域におけるパイロットシンボルの構造を示す図。
【図１１】図２のパイロット発生器内のインタリーバの内部構造を示す図。
【符号の説明】
【０１１０】
２０１：ウォルシュ・アダマール行列発生器
２０３：選択器
２０５：ウォルシュコードリピーター
２０７−１、．．．、２０７−Ｕ：インタリーバ
２０９−１、．．．、２０９−Ｕ：加算器
２１１：サブキャリア割当器
【図１】
2007527181.tif 000233
【図２】
2007527181.tif 000234
【図３】
2007527181.tif 000235
【図４】
2007527181.tif 000236
【図５】
2007527181.tif 000237
【図６】
2007527181.tif 000238
【図７】
2007527181.tif 000239
【図８】
2007527181.tif 000240
【図９】
2007527181.tif 000241
【図１０】
2007527181.tif 000242
【図１１】
2007527181.tif 000243
【国際調査報告】
2007527181.tif 000244
2007527181.tif 000245